(57)【特許請求の範囲】
【請求項１】
外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し、前記ノズルから噴出される噴流が自励振動するようにした手乾燥装置であって、前記ノズルの先端にカバーを形成したユニットを設け、前記カバーが前記ノズルの自励と同期して作動することを特徴とする手乾燥装置。
【請求項２】
カバーを、平板状のシート部材にすることを特徴とする請求項１記載の手乾燥装置。
【請求項３】
シート部材を、樹脂性材料にすることを特徴とする請求項２記載の手乾燥装置。
【請求項４】
ノズルを差し込むシート部材の穴径を、前記ノズルの外径に対し０．３〜１ｍｍ大きくすることを特徴とする請求項１〜３のいずれかに記載の手乾燥装置。
【請求項５】
シート部材を、ノズル毎に分割することを特徴とする請求項２〜４のいずれかに記載の手乾燥装置。
【請求項６】
ノズルの先端に、シート部材の抜けを防止する抜け防止部を設けることを特徴とする請求項２〜５のいずれかに記載の手乾燥装置。
【請求項７】
ノズルとシート部材を一体に成型することを特徴とする請求項２〜６のいずれかに記載の手乾燥装置。
【請求項８】
ユニットにシート部材を支持するシート支持部を設け、前記シート部材とシート支持部を点で接触させることを特徴とする請求項１〜７のいずれかに記載の手乾燥装置。
【請求項９】
ユニットの下部に傾斜部を設けることを特徴とする請求項１記載の手乾燥装置。
【請求項１０】
ユニットに、水の侵入を防ぐ返り部を設けることを特徴とする請求項１または９記載の手乾燥装置。
【請求項１１】
ユニットの２角に、曲線形状の曲線部を設けたことを特徴とする請求項１、９、１０のいずれかに記載の手乾燥装置。
【請求項１２】
ノズルの外側に、熱で収縮する熱収縮チューブを設けたことを特徴とする請求項４記載の手乾燥装置。
【請求項１３】
熱収縮チューブを、ポリオレフィン樹脂とすることを特徴とする請求項１２記載の手乾燥装置。
【請求項１４】
ノズルの根元に、熱収縮チューブの位置ずれを防止する位置ずれ防止部を設けることを特徴とする請求項６記載の手乾燥装置。
【請求項１５】
ノズルの根元に、段差を設けた段差部を設けることを特徴とする請求項１記載の手乾燥装置。
【請求項１６】
樹脂性材料を、ナイロンやＰＯＭ等の高摺動性材料とすることを特徴とする請求項３記載の手乾燥装置。
【請求項１７】
ユニットの材料に、防汚剤を練り込んだことを特徴とする請求項８記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【先行技術文献】
【特許文献】
【０００３】
【特許文献１】特開２００９−０３９２７０号公報
【発明の概要】
【発明が解決しようとする課題】
【０００４】
このような従来の手乾燥装置では、ノズルの周辺から手から剥離した水が入り込んで、電装部が破損する恐れがあったという課題がある。
【０００５】
本発明は、このような従来の課題を解決するものであり、手を乾燥させて水を剥離しても、電装部が破損することがない手乾燥装置を提供することを目的とする。
【課題を解決するための手段】
【０００６】
本発明の手乾燥装置は、上記目的を達成するために、外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し、前記ノズルから噴出される噴流が自励振動するようにした手乾燥装置であって、前記ノズルの先端にカバーを形成したユニットを設け、前記カバーが前記ノズルの自励と同期して作動するものである。
【０００７】
また、他の手段は、カバーを、平板状のシート部材にするものである。
【０００８】
また、他の手段は、シート部材を、樹脂性材料にするものである。
【０００９】
また、他の手段は、ノズルを差し込むシート部材の穴径を、前記ノズルの外径に対し０．３〜１ｍｍ大きくするものである。
【００１０】
また、他の手段は、シート部材を、ノズル毎に分割するものである。
【００１１】
また、他の手段は、ノズルの先端に、シート部材の抜けを防止する抜け防止部を設けるものである。
【００１２】
また、他の手段は、ノズルとシート部材を一体に成型するものである。
【００１３】
また、他の手段は、ユニットにシート部材を支持するシート支持部を設け、前記シート部材とシート支持部を点で接触させるものである。
【００１４】
また、他の手段は、ユニットの下部に傾斜部を設けるものである。
【００１５】
また、他の手段は、ユニットに、水の侵入を防ぐ返り部を設けるものである。
【００１６】
また、他の手段は、ユニットの２角に、曲線形状の曲線部を設けたものである。
【発明の効果】
【００１７】
本発明によれば、外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し、前記ノズルから噴出される噴流が自励振動するようにした手乾燥装置であって、前記ノズルの先端にカバーを形成したユニットを設け、前記カバーが前記ノズルの自励と同期して作動することにより、手を乾燥させて水を剥離しても、電装部が破損することがないという効果のある手乾燥装置を提供することができる。
【００１８】
また、カバーを、平板状のシート部材にすることにより、柔軟性を持たすことができるので、スムーズにノズルを自励することができるという効果のある手乾燥装置を提供することができる。
【００１９】
また、シート部材を、樹脂性材料にすることにより、低コストでスムーズにノズルを自励することができるという効果のある手乾燥装置を提供することができる。
【００２０】
また、ノズルを差し込むシート部材の穴径を、前記ノズルの外径に対し０．３〜１ｍｍ大きくすることにより、水の侵入を防ぎつつ、スムーズにノズルを自励することができるという効果のある手乾燥装置を提供することができる。
【００２１】
また、シート部材を、ノズル毎に分割することにより、水の侵入を防ぎつつ、少ない力でスムーズにノズルを自励することができるという効果のある手乾燥装置を提供することができる。
【００２２】
また、ノズルの先端に、シート部材の抜けを防止する抜け防止部を設けることにより、ノズルの先端からのシート部材の抜けを防止するとともに、水の侵入を防ぎつつ、少ない力でスムーズにノズルを自励することができるという効果のある手乾燥装置を提供することができる。
【００２３】
また、ノズルとシート部材を一体に成型することにより、清掃時にノズル部を雑巾、ブラシ等でこする事に対するシート部材の抜けを防止することができるという効果のある手乾燥装置を提供することができる。
【００２４】
また、ユニットにシート部材を支持するシート支持部を設け、前記シート部材とシート支持部を点で接触させることにより、シートとシート支持部との磨耗による経年劣化を抑制し、ノズルの寿命の低下を妨ぐことができるという効果のある手乾燥装置を提供することができる。
【００２５】
また、ユニットの下部に傾斜部を設けることにより、ユニット内の埃等の堆積を防止することができるという効果のある手乾燥装置を提供することができる。
【００２６】
また、ユニットに、水の侵入を防ぐ返り部を設けることにより、ユニット内への水の侵入を防止することができるという効果のある手乾燥装置を提供することができる。
【００２７】
また、ユニットの２角に、曲線形状の曲線部を設けたことにより、掃除によるふき取り性を向上することができるという効果のある手乾燥装置を提供することができる。
【図面の簡単な説明】
【００２８】
【図１】本発明の実施の形態１の手乾燥装置の斜視図
【図２】同手乾燥装置のユニットの斜視図
【図３】同手乾燥装置のユニットの構成図
【図４】同手乾燥装置のノズル部分の拡大図
【図５】同手乾燥装置のノズル部分の側面構成図
【図６】同手乾燥装置のユニットの正面図
【図７】同手乾燥装置のノズル部分の側面構成図
【図８】同手乾燥装置のノズル部分の拡大図
【図９】同手乾燥装置のノズルの部品図
【図１０】同手乾燥装置のノズルの側面構成図
【図１１】同手乾燥装置のユニットの部分正面図
【図１２】同手乾燥装置のノズルの側面構成図
【図１３】同手乾燥装置のユニットの部分正面図
【図１４】同手乾燥装置のユニットの部分斜視図
【図１５】本発明の実施の形態２の手乾燥装置のノズル部付近の斜視図
【図１６】同手乾燥装置のノズル部の側面図
【図１７】同手乾燥装置のノズル部付近の部分拡大図
【図１８】同手乾燥装置のユニットの斜視図
【発明を実施するための形態】
【００２９】
本発明の請求項１記載の手乾燥装置は、外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し、前記ノズルから噴出される噴流が自励振動するようにした手乾燥装置であって、前記ノズルの先端にカバーを形成したユニットを設け、前記カバーが前記ノズルの自励と同期して作動することとしたものであり、カバーがノズルの自励と同期して作動するという作用を有する。
【００３０】
また、カバーを、平板状のシート部材にすることとしたものであり、カバーがノズルの自励とより同機して作動するという作用を有する。
【００３１】
また、シート部材を、樹脂性材料にすることとしたものであり、シート部材の厚みを薄くし、曲げによる応力破壊が低下し、ノズルの自励と同期して作動するという作用を有する。
【００３２】
また、ノズルを差し込むシート部材の穴径を、前記ノズルの外径に対し０．３〜１ｍｍ大きくすることとしたものであり、ノズルの左右の動きに対しシート部材がノズルに垂直方向で往復運動するという作用を有する。
【００３３】
また、シート部材を、ノズル毎に分割することとしたものであり、シート部材がノズルの自励と少ない力で同機して作動するという作用を有する。
【００３４】
また、ノズルの先端に、シート部材の抜けを防止する抜け防止部を設けることとしたものであり、シート部材が抜け防止部に接触するという作用を有する。
【００３５】
また、ノズルとシート部材を一体に成型することとしたものであり、ノズルの押し込みに比例しシート部材も動くという作用を有する。
【００３６】
また、ユニットにシート部材を支持するシート支持部を設け、前記シート部材とシート支持部を点で接触させることとしたものであり、シート部材とシート支持部が点で接触しているという作用を有する。
【００３７】
また、ユニットの下部に傾斜部を設けることとしたものであり、ユニットに溜まった水や埃は傾斜部から自然落下するという作用を有する。
【００３８】
また、ユニットに、水の侵入を防ぐ返り部を設けることとしたものであり、傾斜で跳ねた水が返り部で方向変換するという作用を有する。
【００３９】
また、ユニットの２角に、曲線形状の曲線部を設けたこととしたものであり、ユニットの２角は曲線部を拭き取るという作用を有する。
【００４０】
以下、本発明の実施の形態について、図面を参照しながら説明する。
【００４１】
（実施の形態１）
図１〜図１４に示すように、外気を取り入れる吸込口１と、吸込口１から取り込んだ空気２を高圧気流発生装置３まで案内する風路で構成された吸込風路４と、高圧気流発生装置３により昇圧された空気をノズル５まで案内する風路で構成された吹出風路６を備え、複数のノズル５を間隔７をおいて配列し、ノズル５から噴出される噴流が自励振動するようにした手乾燥装置であって、ノズル５の先端にカバー８を形成したユニット９を設け、カバー８がノズル５の自励と同期して作動する構成とする。
【００４２】
上記構成により、カバー８がノズル５の自励と同期して作動する。
【００４３】
このように、手を乾燥させて水を剥離しても、電装部が破損することがないこととなる。
【００４４】
また、カバー８を、平板状のシート部材１０にする構成とする。
【００４５】
上記構成により、カバー８がノズル５の自励とより同機して作動する。
【００４６】
このように、柔軟性を持たすことができるので、スムーズにノズルを自励することができることとなる。
【００４７】
また、シート部材１０を、樹脂性材料１１にする構成とする。
【００４８】
上記構成により、シート部材１０の厚み１２を薄くし、曲げによる応力破壊が低下し、ノズル５の自励と同期して作動する。
【００４９】
このように、低コストでスムーズにノズルを自励することができることとなる。
【００５０】
また、ノズル５を差し込むシート部材１０の穴径１３を、ノズル５の外径１４に対し０．３〜１ｍｍ大きくする構成とする。
【００５１】
上記構成により、ノズル５の左右１５の動きに対しシート部材がノズルに垂直方向１６で往復運動する。
【００５２】
このように、水の侵入を防ぎつつ、スムーズにノズルを自励することができることとなる。
【００５３】
また、シート部材１０を、ノズル５毎に分割１７する構成とする。
【００５４】
上記構成により、シート部材１０がノズル５の自励と少ない力で同機して作動する。
【００５５】
このように、水の侵入を防ぎつつ、少ない力でスムーズにノズルを自励することができることとなる。
【００５６】
また、ノズル５の先端１８に、シート部材１０の抜けを防止する抜け防止部１９を設ける構成とする。
【００５７】
上記構成により、シート部材１０が抜け防止部１９に接触する。
【００５８】
このように、ノズルの先端からのシート部材の抜けを防止するとともに、水の侵入を防ぎつつ、少ない力でスムーズにノズルを自励することができることとなる。
【００５９】
また、ノズル５とシート部材１０を一体２０に成型する構成とする。
【００６０】
上記構成により、ノズル５の押し込みに比例しシート部材１０も動く。
【００６１】
このように、清掃時にノズル部を雑巾、ブラシ等でこする事に対するシート部材の抜けを防止することができることとなる。
【００６２】
また、ユニット９にシート部材１０を支持するシート支持部２１を設け、シート部材１０とシート支持部２１を点２２で接触させる構成とする。
【００６３】
上記構成により、シート部材１０とシート支持部２１が点２２で接触している。
【００６４】
このように、シートとシート支持部との磨耗による経年劣化を抑制し、ノズルの寿命の低下を妨ぐことができることとなる。
【００６５】
また、ユニット９の下部に傾斜部２３を設ける構成とする。
【００６６】
上記構成により、ユニット９に溜まった水や埃は傾斜部２３から自然落下する。
【００６７】
このように、ユニット内の埃等の堆積を防止することができることとなる。
【００６８】
また、ユニット９に、水の侵入を防ぐ返り部２４を設ける構成とする。        
【００６９】
上記構成により、傾斜部２３で跳ねた水が返り部２４で方向変換する。
【００７０】
このように、ユニット内への水の侵入を防止することができることとなる。
【００７１】
また、ユニットの２角２５に、曲線形状の曲線部２６を設けた構成とする。
【００７２】
上記構成により、ユニット９の２角２５は曲線部２６を拭き取る。
【００７３】
このように、掃除によるふき取り性を向上することができることとなる。
【００７４】
（実施の形態２）
実施の形態１と同じ構成ついては同じ符号を付し、詳しい説明は省略する。
【００７５】
実施の形態１と異なるところは、図１５に示すように、ノズル５の外側に、覆うように熱で収縮する熱収縮チューブ２７を密着して設け、その熱収縮チューブ２７を、ポリオレフィン樹脂とすることである。
【００７６】
このような構成により、ノズル５に熱収縮チューブ２７を嵌め込めこんで熱をかけて熱収縮チューブ２７を収縮させ、ノズル５に熱収縮チューブ２７を密着させて嵌める。特に、熱収縮チューブ２７は、熱収縮性のよいポリオレフィン樹脂で熱収縮チューブ２７を作製している。
【００７７】
よって、ノズルの自励振動によるシート部材との接触磨耗を防ぎ、ノズルの周辺から手から剥離した水が入り込むことを防止することができる。特に、熱収縮チューブは、熱収縮性のよいポリオレフィン樹脂で熱収縮チューブを作製しておるので、ノズルに熱収縮チューブをより接触よく嵌め込め、結果、ノズルの自励振動によるシート部材との接触磨耗を防ぎ、ノズルの周辺から手から剥離した水が入り込むことを防止することができることとなる。
【００７８】
また、別の実施の形態１と異なるところは、同じく図１５に示すように、ノズル５の根元２８に、熱収縮チューブ２７の位置ずれを防止する位置ずれ防止部２９、この実施の形態ではリブを２個設け、かつ、図１６に示すように段差を設けた段差部３０、この実施の形態では１つの屈曲部を有したものを設けることである。
【００７９】
このような構成により、熱収縮チューブ２７がノズル５の根元２８にずれようとしても位置ずれ防止部２９によりせき止められてずれが防止でき、熱収縮チューブ２７が根元までずれることがない。また、ノズル５の根元２８にかかる力を、段差部３０によりここでは屈曲部の変形によって分散させるようにしている。
【００８０】
よって、熱収縮チューブが根元までずれることによるノズルとシート部材との接触磨耗を防ぎ、ノズルの周辺から手から剥離した水が入り込むことを防止することができるとともに、自励振動によるノズルの根元の力を段差部により分散できるので、自励振動をスムーズにすることができ、結果、無理な力によるノズルとシート部材との接触磨耗を防ぎ、ノズルの周辺から手から剥離した水が入り込むことを防止することができることとなる。
【００８１】
また、別の実施の形態１と異なるところは、図１７に示すように、シート部材１０の樹脂性の材料を、ナイロンやＰＯＭ等の高摺動性材料とすることである。
【００８２】
このような構成により、シート部材１０の摺動性をより高め、よりノズル５の左右の自励と同期して作動しやすくなる。
【００８３】
よって、ノズルの自励振動をスムーズにすることができるので、無理な力によるノズルとシート部材との接触磨耗を防ぎ、ノズルの周辺から手から剥離した水が入り込むことを防止することができることとなる。
【００８４】
また、別の実施の形態１と異なるところは、図１８に示すように、ユニット９の材料に、防汚剤３１を練り込んだことである。
【００８５】
このような構成により、手を洗った水滴に含まれた皮脂の脂等のユニット９の表面に付着して汚れに対して、この汚れによるシート部材１０の摺動性の低下を防ぎ、よりノズル５の自励と同期して作動しやすくなる。
【００８６】
よって、ノズルの自励振動をスムーズにすることができるので、無理な力によるノズルとシート部材との接触磨耗を防ぎ、ノズルの周辺から手から剥離した水が入り込むことを防止することができることとなる。
【産業上の利用可能性】
【００８７】
本発明の手乾燥装置は、レストランやホテルなどの洗面所やトイレに設置され、また病院や手術室や調理場においても適用される。
【符号の説明】
【００８８】
１    吸込口
２    空気
３    高圧気流発生装置
４    吸込風路
５    ノズル
６    吹出風路
７    間隔
８    カバー
９    ユニット
１０  シート部材
１１  樹脂性材料
１２  厚み
１３  穴径
１４  外径
１５  左右
１６  垂直方向
１７  分割
１８  先端
１９  抜け防止部
２０  一体
２１  シート支持部
２２  点
２３  傾斜部
２４  返り部
２５  ２角
２６  曲線部
２７  熱収縮チューブ
２８  根元
２９  位置ずれ防止部
３０  段差部
３１  防汚剤
【図１】
0005445058.tif 000002
【図２】
0005445058.tif 000003
【図３】
0005445058.tif 000004
【図４】
0005445058.tif 000005
【図５】
0005445058.tif 000006
【図６】
0005445058.tif 000007
【図７】
0005445058.tif 000008
【図８】
0005445058.tif 000009
【図９】
0005445058.tif 000010
【図１０】
0005445058.tif 000011
【図１１】
0005445058.tif 000012
【図１２】
0005445058.tif 000013
【図１３】
0005445058.tif 000014
【図１４】
0005445058.tif 000015
【図１５】
0005445058.tif 000016
【図１６】
0005445058.tif 000017
【図１７】
0005445058.tif 000018
【図１８】
0005445058.tif 000019